(57)【特許請求の範囲】
【請求項１】
画像データに基づいて記録媒体上に画像をプリントできるプリンタ部と、
原稿画像を読み取ることができるスキャナ部と、
ユーザーによる操作のための操作パネル部と、
外部と通信するための通信インターフエース部と、
ユーザーを認証するための認証装置と、
前記プリンタ部、スキャナ部、操作パネル部、通信インターフエース部及び認証装置がそれぞれ接続された、画像形成装置動作を制御するためのコントローラ部とを含む画像形成装置であって、
前記操作パネル部は、テンキー及び画像形成装置スリープ状態では節電消灯されるディスプレイ部を備えているとともに予め定めた画像形成装置動作モードを選択するためのモード選択キーを備えており、
前記コントローラ部は、画像形成装置スリープ状態で前記操作パネル部のディスプレイ部が節電消灯している状態において、前記モード選択キーにより前記画像形成装置動作モードが選択されると該ディスプレイ部を消灯したままでスリープ状態を解除し、前記認証装置でユーザーが認証されると、該操作パネル部のディスプレイ部を点灯させることなく該選択された画像形成装置動作モードを実行可能とするように画像形成装置制御を行うことを特徴とする画像形成装置。
【請求項２】
前記操作パネル部は前記モード選択キーとして、
(1) 前記スキャナ部で読み取った原稿画像のデータをメモリボックス部に格納することができるスキャンｔｏボックスモードを選択するボックスキー、
(2) 前記スキャナ部で読み取った原稿画像のデータを前記通信インターフエース部を介してＥ−ｍａｉｌ送信することができるスキャンｔｏＥ−ｍａｉｌモードを選択するためのスキャンキー、
(3) 前記通信インターフエース部を介して前記コントローラ部に入力されてくる親展画像データに基づいて、前記操作パネル部からのパスワード入力を条件として、前記プリンタ部に親展プリントさせることができる親展プリントモードを選択するためのプリントキー、
(4) 前記スキャナ部で読み取った、地紋セキュリティが設定された原稿画像のデータに基づいて、前記操作パネル部からのパスワード入力を条件として、前記プリンタ部に画像プリントさせることができるセキュリティコピーモードを選択するためのコピーキー及び
(5) 前記通信インターフエース部を介して前記コントローラ部に入力されてくる親展ファクシミリ受信データに基づいて、前記操作パネル部からのパスワード入力を条件として、前記プリンタ部に画像プリントさせることができる親展ファクシミリプリントモードを選択するためのＦＡＸキー
のうち少なくとも一つのモード選択キーを備えている請求項１記載の画像形成装置。
【請求項３】
前記操作パネル部は前記モード選択キーとして少なくとも前記ボックスキーを備えており、
前記コントローラ部は、画像形成装置がスリープ状態にあって該操作パネル部のディスプレイ部が消灯している状態で、前記ボックスキーにてスキャンｔｏボックスモードが選択されると該ディスプレイ部を消灯したままでスリープ状態を解除し、前記認証装置におけるユーザー認証があり、前記スキャナ部における原稿セットがあると、前記操作パネル部のテンキーをパスワード入力キーとして使えるように切り替え設定し、
該テンキーによるパスワード入力があると、その後の操作パネル部のスタートキー操作により前記原稿の画像を前記スキャナ部に読み取らせ、該原稿画像データを該データにパスワードを設定して前記ユーザー認証に基づいて指定されたメモリボックス部へ格納する請求項２記載の画像形成装置。
【請求項４】
前記コントローラ部は、前記操作パネル部のテンキーをパスワード入力キーとして使えるように切り替え設定したあと、該テンキーによるパスワード入力無しで操作パネル部のスタートキー操作があると、前記原稿の画像を前記スキャナ部に読み取らせ、該原稿画像データをパスワード設定無しで前記ユーザー認証に基づいて指定されたメモリボックス部へ格納する請求項３記載の画像形成装置。
【請求項５】
前記操作パネル部は前記モード選択キーとして少なくとも前記スキャンキーを備えており、
前記コントローラ部は、画像形成装置がスリープ状態にあって該操作パネル部のディスプレイ部が消灯している状態で、前記スキャンキーにてスキャンｔｏＥ−ｍａｉｌモードが選択されると該ディスプレイ部を消灯したままでスリープ状態を解除し、前記認証装置におけるユーザー認証があり、前記スキャナ部における原稿セットがあると、前記操作パネル部のテンキーをパスワード入力キーとして使えるように切り替え設定し、
該テンキーによるパスワード入力があると、その後の操作パネル部のスタートキー操作により前記原稿の画像を前記スキャナ部に読み取らせ、該原稿画像データを該データにパスワードを設定して前記ユーザー認証に基づいて指定された宛先メールアドレスへ前記通信インターフエース部を介してＥ−ｍａｉｌ送信する請求項２記載の画像形成装置。
【請求項６】
前記コントローラ部は、前記操作パネル部のテンキーをパスワード入力キーとして使えるように切り替え設定したあと、該テンキーによるパスワード入力無しで操作パネル部のスタートキー操作があると、前記原稿の画像を前記スキャナ部に読み取らせ、該原稿画像データをパスワード設定無しで前記ユーザー認証に基づいて指定された宛先メールアドレスへ前記通信インターフエース部を介してＥ−ｍａｉｌ送信する請求項５記載の画像形成装置。
【請求項７】
前記操作パネル部は前記モード選択キーとして少なくとも前記プリントキーを備えており、
前記コントローラ部は、画像形成装置がスリープ状態にあって該操作パネル部のディスプレイ部が消灯しているときに前記通信インターフエース部を介して親展画像データ入力がある状態で、前記プリントキーにて親展プリントモードが選択されると該ディスプレイを消灯したままでスリープ状態を解除し、前記認証装置においてユーザー認証されると、前記操作パネル部のテンキーをパスワード入力キーとして使えるように切り替え設定し、該テンキーによるパスワード入力があると、その後の操作パネル部のスタートキー操作により前記親展画像データを前記プリンタ部にプリントさせる請求項２記載の画像形成装置。
【請求項８】
前記コントローラ部は、前記操作パネル部のテンキーをパスワード入力キーとして使えるように切り替え設定したあと、該テンキーによるパスワード入力なしで操作パネル部のスタートキー操作があっても前記親展画像データの前記プリンタ部にによるプリントを許可しない請求項７記載の画像形成装置。
【請求項９】
前記操作パネル部は前記モード選択キーとして少なくとも前記コピーキーを備えており、
前記コントローラ部は、画像形成装置がスリープ状態にあって該操作パネル部のディスプレイ部が消灯している状態で、前記コピーキーにてコピーモードが選択されると該ディスプレイ部を消灯したままでスリープ状態を解除し、前記認証装置においてユーザー認証があり、前記スキャナ部において原稿セットがあり、前記操作パネル部のスタートキーが操作されると前記スキャナ部に該原稿画像を読み取らせ、地紋セキュリティが設定されていない原稿画像については、前記プリンタ部に該読み取られた原稿の画像データに基づいてデフオルト設定のもとにプリントさせ、地紋セキュリティが設定されている原稿画像については、前記スキャナ部が該地紋セキュリティを検出すると、前記操作パネル部のテンキーをパスワード入力キーとして使えるように切り替え設定し、該テンキーによるパスワード入力があると、その後の操作パネル部のスタートキー操作により、前記原稿画像データを前記プリンタ部にプリントさせる請求項２記載の画像形成装置。
【請求項１０】
前記コントローラ部は、前記地紋セキュリティのある原稿画像については、前記操作パネル部のテンキーをパスワード入力キーとして使えるように切り替え設定したあと、該テンキーによるパスワード入力なしで操作パネル部のスタートキー操作があっても該原稿画像データの前記プリンタ部によるプリントを許可しない請求項９記載の画像形成装置。
【請求項１１】
前記操作パネル部は前記モード選択キーとして少なくとも前記ＦＡＸキーを備えており、
前記コントローラ部は、画像形成装置がスリープ状態にあって該操作パネル部のディスプレイ部が消灯しているときに前記通信インターフエース部を介して親展ファクシミリデータが受信されている状態で、前記ＦＡＸキーにて親展ファクシミリプリントモードが選択されると該ディスプレイ部を消灯したままでスリープ状態を解除し、前記認証装置においてユーザー認証されると、前記操作パネル部のテンキーをパスワード入力キーとして使えるように切り替え設定し、該テンキーによるパスワード入力があると、その後の操作パネル部のスタートキー操作により、前記親展ファクシミリデータを前記プリンタ部にプリントさせる請求項２記載の画像形成装置。
【請求項１２】
前記コントローラ部は、前記親展ファクシミリデータについては、前記操作パネル部のテンキーをパスワード入力キーとして使えるように切り替え設定したあと、該テンキーによるパスワード入力なしで操作パネル部のスタートキー操作があっても該親展ファクシミリデータの前記プリンタ部によるプリントを許可しない請求項１１記載の画像形成装置。
【発明の詳細な説明】
【技術分野】
【０００１】
本発明は、画像データに基づいて記録媒体上に画像をプリントできるプリンタ部と、原稿画像を読み取ることができるスキャナ部と、ユーザーによる操作のためのめの操作パネル部と、外部と通信するための通信インターフエース部と、ユーザーを認証するための認証装置と、前記プリンタ部、スキャナ部、操作パネル部、通信インターフエース部及び認証装置がそれぞれ接続された、画像形成装置動作を制御するためのコントローラ部とを含み、前記操作パネル部が点灯消灯可能のディスプレイ部を備えている画像形成装置に関する。
【背景技術】
【０００２】
この種の画像形成装置では、装置使用を待ち受ける待機状態から装置が使用されることなく一定時間が経過すると、予め定めた部分への電力供給を停止する所謂スリープ状態へ遷移して節電できるタイプのものがある。このようにスリープ状態となると、操作パネル部にディスプレイ部が設けられている場合には、そのディスプレイ部も節電消灯されることが多い。
【０００３】
例えば、特開２００７−１９４８７４号公報には、原稿読み取り装置であって、それが使用されることを待機している待機状態から装置の使用無く一定時間が経過すると予め定めた部分への電力供給を停止する省電力状態へ遷移する読み取り装置が記載されている。ここで、電力供給が停止される「予め定めた部分」には、操作パネル部におけるディスプレイ部も含まれ、ディスプレイ部は消灯される。
【０００４】
そして、この読み取り装置では、省電力状態のときに操作パネル部からキー入力操作があると、該キー入力操作に応じた機能の初期画面がディスプレイ部に表示される。
【先行技術文献】
【特許文献】
【０００５】
【特許文献１】特開２００７−１９４８７４号公報
【発明の概要】
【発明が解決しようとする課題】
【０００６】
しかしながら、原稿読み取り装置、或いは原稿読み取り装置を含む複写機能等の機能を有する画像形成装置の場合、操作パネル部のキー入力操作に応じた機能の中には、いちいちディスプレイ部に表示しなくても実行させることができるものがあるにもかかわらず、通常は、その機能実行にあたりディスプレイ部が点灯表示状態とされ、ディスプレイ部点灯表示のための電力分が消費される。
【０００７】
また、操作パネル部のキー入力操作に応じた機能の中には、その実行のためにパスワード入力が要求される場合があり、そのような場合にはディスプレイ部の表示に従ってパスワード入力を行うようになっている場合が多い。従ってパスワード入力が要求される場合にはディスプレイ部が点灯表示され、ディスプレイ部点灯表示のための電力分が消費されることになる。
【０００８】
そこで本発明は、画像データに基づいて記録媒体上に画像をプリントできるプリンタ部と、原稿画像を読み取ることができるスキャナ部と、ユーザーによる操作のためのめの操作パネル部と、外部と通信するための通信インターフエース部と、ユーザーを認証するための認証装置と、前記プリンタ部、スキャナ部、操作パネル部、通信インターフエース部及び認証装置がそれぞれ接続された、画像形成装置動作を制御するためのコントローラ部とを含み、前記操作パネル部が点灯消灯可能のディスプレイ部を備えている画像形成装置であって、従来より、操作パネル部での電力消費を少なく抑制でき、それだけ全体としても消費電力を節約できる画像形成装置を提供することを課題とする。
【課題を解決するための手段】
【０００９】
本発明は、前記課題を解決するため次の画像形成装置を提供する。すなわち、
画像データに基づいて記録媒体上に画像をプリントできるプリンタ部と、
原稿画像を読み取ることができるスキャナ部と、
ユーザーによる操作のための操作パネル部と、
外部と通信するための通信インターフエース部と、
ユーザーを認証するための認証装置と、
前記プリンタ部、スキャナ部、操作パネル部、通信インターフエース部及び認証装置がそれぞれ接続された、画像形成装置動作を制御するためのコントローラ部とを含む画像形成装置であって、
前記操作パネル部は、テンキー及び画像形成装置スリープ状態では節電消灯されるディスプレイ部を備えているとともに予め定めた画像形成装置動作モードを選択するためのモード選択キーを備えており、
前記コントローラ部は、画像形成装置スリープ状態で前記操作パネル部のディスプレイ部が節電消灯している状態において、前記モード選択キーにより前記画像形成装置動作モードが選択されると該ディスプレイ部を消灯したままでスリープ状態を解除し、前記認証装置でユーザーが認証されると、該操作パネル部のディスプレイ部を点灯させることなく該選択された画像形成装置動作モードを実行可能とするように画像形成装置制御を行う画像形成装置。
【００１０】
ここで「画像形成装置スリープ状態」とは、装置使用を待ち受ける待機状態から装置が使用されることなく予め定めた時間が経過すると、予め定めた部分への電力供給を停止する状態であり、ここでは、スリープ状態になると操作パネル部のディスプレイ部は節電消灯される。
【００１１】
本発明に係る画像形成装置において、前記予め定めた画像形成装置動作モード及びモード選択キーとしては、次のもののうち少なくとも１種類を例示できる。
(a) 前記スキャナ部で読み取った原稿画像のデータをメモリボックス部に格納することができるスキャンｔｏボックスモードを選択するボックスキー、
(b) 前記スキャナ部で読み取った原稿画像のデータを前記通信インターフエース部を介してＥ−ｍａｉｌ送信することができるスキャンｔｏＥ−ｍａｉｌモードを選択するためのスキャンキー、
(c) 前記通信インターフエース部を介して前記コントローラ部に入力されてくる親展画像データに基づいて、前記操作パネル部からのパスワード入力を条件として、前記プリンタ部に親展プリントさせることができる親展プリントモードを選択するためのプリントキー、
(d) 前記スキャナ部で読み取った、地紋セキュリティが設定された原稿画像のデータに基づいて、前記操作パネル部からのパスワード入力を条件として、前記プリンタ部に画像プリントさせることができるセキュリティコピーモードを選択するためのコピーキー及び
(e) 前記通信インターフエース部を介して前記コントローラ部に入力されてくる親展ファクシミリ受信データに基づいて、前記操作パネル部からのパスワード入力を条件として、前記プリンタ部に画像プリントさせることができる親展ファクシミリプリントモードを選択するためのＦＡＸキーである。
【００１２】
ここで、(a) 項の「メモリボックス部」とは、スキャナ部で読み取った原稿画像のデータを格納（記憶）させておくメモリ（記録媒体）中の領域のことである。
(d) 項の「地紋セキュリティが設定されている原稿」とは、その原稿画像における背景の地紋中に埋め込まれた、人間の目では判別できないが、スキャナ部による読み取りは可能であるセキュリティのための情報を有する原稿」のことであり、その情報に対応したパスワードをもって複写が可能になる原稿である。
【００１３】
上記画像形成装置動作モード及びモード選択キーの例によると、本発明に係る画像形成装置例として次の第１〜第５の画像形成装置を例示できる。
（１）第１の画像形成装置
前記操作パネル部は前記モード選択キーとして少なくとも前記ボックスキーを備えており、
前記コントローラ部は、画像形成装置がスリープ状態にあって該操作パネル部のディスプレイ部が消灯している状態で、前記ボックスキーにてスキャンｔｏボックスモードが選択されると該ディスプレイ部を消灯したままでスリープ状態を解除し、前記認証装置におけるユーザー認証があり、前記スキャナ部における原稿セットがあると、前記操作パネル部のテンキーをパスワード入力キーとして使えるように切り替え設定し、
該テンキーによるパスワード入力があると、その後の操作パネル部のスタートキー操作により前記原稿の画像を前記スキャナ部に読み取らせ、該原稿画像データを該データにパスワードを設定して前記ユーザー認証に基づいて指定されたメモリボックス部へ格納する画像形成装置。
【００１４】
この画像形成装置においては、前記コントローラ部は、前記操作パネル部のテンキーをパスワード入力キーとして使えるように切り替え設定したあと、該テンキーによるパスワード入力無しで操作パネル部のスタートキー操作があると、前記原稿の画像を前記スキャナ部に読み取らせ、該原稿画像データをパスワード設定無しで前記ユーザー認証に基づいて指定されたメモリボックス部へ格納するものであってもよい。
【００１５】
（２）第２の画像形成装置
前記操作パネル部は前記モード選択キーとして少なくとも前記スキャンキーを備えており、
前記コントローラ部は、画像形成装置がスリープ状態にあって該操作パネル部のディスプレイ部が消灯している状態で、前記スキャンキーにてスキャンｔｏＥ−ｍａｉｌモードが選択されると該ディスプレイ部を消灯したままでスリープ状態を解除し、前記認証装置におけるユーザー認証があり、前記スキャナ部における原稿セットがあると、前記操作パネル部のテンキーをパスワード入力キーとして使えるように切り替え設定し、
該テンキーによるパスワード入力があると、その後の操作パネル部のスタートキー操作により前記原稿の画像を前記スキャナ部に読み取らせ、該原稿画像データを該データにパスワードを設定して前記ユーザー認証に基づいて指定された宛先メールアドレスへ前記通信インターフエース部を介してＥ−ｍａｉｌ送信する画像形成装置。
【００１６】
この画像形成装置においては、前記コントローラ部は、前記操作パネル部のテンキーをパスワード入力キーとして使えるように切り替え設定したあと、該テンキーによるパスワード入力無しで操作パネル部のスタートキー操作があると、前記原稿の画像を前記スキャナ部に読み取らせ、該原稿画像データをパスワード設定無しで前記ユーザー認証に基づいて指定された宛先メールアドレスへ前記通信インターフエース部を介してＥ−ｍａｉｌ送信するものであってもよい。
【００１７】
（３）第３の画像形成装置
前記操作パネル部は前記モード選択キーとして少なくとも前記プリントキーを備えており、
前記コントローラ部は、画像形成装置がスリープ状態にあって該操作パネル部のディスプレイ部が消灯しているときに前記通信インターフエース部を介して親展画像データ入力がある状態で、前記プリントキーにて親展プリントモードが選択されると該ディスプレイを消灯したままでスリープ状態を解除し、前記認証装置においてユーザー認証されると、前記操作パネル部のテンキーをパスワード入力キーとして使えるように切り替え設定し、該テンキーによるパスワード入力があると、その後の操作パネル部のスタートキー操作により前記親展画像データを前記プリンタ部にプリントさせる画像形成装置。
【００１８】
この画像形成装置の場合、前記コントローラ部は、前記操作パネル部のテンキーをパスワード入力キーとして使えるように切り替え設定したあと、該テンキーによるパスワード入力なしで操作パネル部のスタートキー操作があっても前記親展画像データの前記プリンタ部にによるプリントを許可しないものとすることができる。
【００１９】
（４）第４の画像形成装置
前記操作パネル部は前記モード選択キーとして少なくとも前記コピーキーを備えており、
前記コントローラ部は、画像形成装置がスリープ状態にあって該操作パネル部のディスプレイ部が消灯している状態で、前記コピーキーにてコピーモードが選択されると該ディスプレイ部を消灯したままでスリープ状態を解除し、前記認証装置においてユーザー認証があり、前記スキャナ部において原稿セットがあり、前記操作パネル部のスタートキーが操作されると前記スキャナ部に該原稿画像を読み取らせ、地紋セキュリティが設定されていない原稿画像については、前記プリンタ部に該読み取られた原稿の画像データに基づいてデフオルト設定のもとにプリントさせ、地紋セキュリティが設定されている原稿画像については、前記スキャナ部が該地紋セキュリティを検出すると、前記操作パネル部のテンキーをパスワード入力キーとして使えるように切り替え設定し、該テンキーによるパスワード入力があると、その後の操作パネル部のスタートキー操作により、前記原稿画像データを前記プリンタ部にプリントさせる画像形成装置。
【００２０】
この画像形成装置においては、前記コントローラ部は、前記地紋セキュリティのある原稿画像については、前記操作パネル部のテンキーをパスワード入力キーとして使えるように切り替え設定したあと、該テンキーによるパスワード入力なしで操作パネル部のスタートキー操作があっても該原稿画像データの前記プリンタ部によるプリントを許可しないものとすることができる。
【００２１】
（５）第５の画像形成装置
前記操作パネル部は前記モード選択キーとして少なくとも前記ＦＡＸキーを備えており、
前記コントローラ部は、画像形成装置がスリープ状態にあって該操作パネル部のディスプレイ部が消灯しているときに前記通信インターフエース部を介して親展ファクシミリデータが受信されている状態で、前記ＦＡＸキーにて親展ファクシミリプリントモードが選択されると該ディスプレイ部を消灯したままでスリープ状態を解除し、前記認証装置においてユーザー認証されると、前記操作パネル部のテンキーをパスワード入力キーとして使えるように切り替え設定し、該テンキーによるパスワード入力があると、その後の操作パネル部のスタートキー操作により、前記親展ファクシミリデータを前記プリンタ部にプリントさせる画像形成装置。
【００２２】
この画像形成装置においては、前記コントローラ部は、前記親展ファクシミリデータについては、前記操作パネル部のテンキーをパスワード入力キーとして使えるように切り替え設定したあと、該テンキーによるパスワード入力なしで操作パネル部のスタートキー操作があっても該親展ファクシミリデータの前記プリンタ部によるプリントを許可しないものとすることができる。
【００２３】
いずれにしても本発明に係る画像形成装置によると、操作パネル部は予め定めた画像形成装置動作モードを選択するためのモード選択キーを備えており、前記コントローラ部は、画像形成装置スリープ状態で操作パネル部のディスプレイ部が節電消灯している状態において、該モード選択キーにより前記画像形成装置動作モードが選択されると該ディスプレイ部を消灯したままでスリープ状態を解除し、認証装置でユーザーが認証されると、該操作パネル部のディスプレイ部を点灯させることなく該選択されたモードを実行可能とするように画像形成装置制御を行う。
【００２４】
このように、予め定められ、モード選択キーで選択可能のモードについては、ディスプレイ部の点灯表示を行うことなく実行可能とするので、それだけ操作パネル部での電力消費を少なく抑制でき、それだけ全体としても消費電力を節約できる。
【発明の効果】
【００２５】
以上説明したように、本発明によると、画像データに基づいて記録媒体上に画像をプリントできるプリンタ部と、原稿画像を読み取ることができるスキャナ部と、ユーザーによる操作のためのめの操作パネル部と、外部と通信するための通信インターフエース部と、ユーザーを認証するための認証装置と、前記プリンタ部、スキャナ部、操作パネル部、通信インターフエース部及び認証装置がそれぞれ接続された、画像形成装置動作を制御するためのコントローラ部とを含み、前記操作パネル部が点灯消灯可能のディスプレイ部を備えている画像形成装置であって、従来より、操作パネル部での電力消費を少なく抑制でき、それだけ全体としても消費電力を節約できる画像形成装置を提供することができる。
【図面の簡単な説明】
【００２６】
【図１】本発明に係る画像形成装置の１例の構成の概略を示す図である。
【図２】図１の画像形成装置の制御回路の概略を示すブロック図である。
【図３】操作パネル部を示す図である。
【図４】スキャンｔｏボックスモードにおけるコントローラ部の動作を示すフローチャートである。
【図５】スキャンｔｏＥ−ｍａｉｌモードにおけるコントローラ部の動作を示すフローチャートである。
【図６】親展プリントモードにおけるコントローラ部の動作を示すフローチャートである。
【図７】セキュリティコピーモードにおけるコントローラ部の動作を示すフローチャートである。
【図８】親展ファクシミリプリントモードにおけるコントローラ部の動作を示すフローチャートである。
【発明を実施するための形態】
【００２７】
以下、本発明の実施形態について図面を参照して説明する。
図１は本発明に係る画像形成装置の１例Ａの正面図である。
図２は図１の画像形成装置Ａの制御回路の概略を示すブロック図である。
図３はこのあと説明する操作パネル部ＰＡの説明図である。
【００２８】
図１に示す画像形成装置は、スキャナ部Ｓ及びプリンタ部ＰＲを備えており、複写機として使用できるものであるが、ファクシミリ機の機能、コンピュータ等から供給される画像情報に応じてプリントするプリンタ機能、Ｅ−ｍａｉｌ機能、スキャナ部で読み取った画像のデータを内蔵記録媒体（本例ではハードディスク）の所定領域（メモリボックス部）に読み出し可能に格納する機能等も併せ持つ。
【００２９】
図１の画像形成装置Ａは、画像データに基づいて記録紙等の記録媒体９に画像をプリントできるプリンタ部ＰＲを含んでいる。プリンタ部ＰＲにはその下に記録媒体収容カセットＣ１〜Ｃ４を有する部分ＣＳが付設されている。スキャナ部（画像読み取り装置）Ｓはプリンタ部ＰＲの上方に位置している。スキャナ部Ｓはここでは原稿自動搬送装置ＡＤＦを含んでいる。スキャナ部Ｓには操作パネル部ＰＡが搭載されている。
【００３０】
図１には示していないが図２に示すように、画像形成装置Ａは画像形成装置各部の動作を制御するコントローラ部ＣＮを有している。
プリンタ部ＰＲ、スキャナ部Ｓ及び操作パネル部ＰＡはコントローラ部ＣＮに接続されている。コントローラ部ＣＮには、ユーザーの認証を行う認証装置ＩＤ及び通信インターフエース部Ｉ／Ｆも接続されている。
【００３１】
プリンタ部ＰＲは、本例では電子写真方式により記録紙等の記録媒体９上にトナー画像を形成するものである。本例のプリンタ部ＰＲは、イエロー画像形成部Ｙ、マゼンタ画像形成部Ｍ、シアン画像形成部Ｃ及びブラック画像形成部Ｋを中間転写ベルト４に沿って配列したタンデム型のカラープリンタ部である。
【００３２】
画像形成部Ｙ、Ｍ、Ｃ、Ｋのそれぞれは、本例では、回転駆動可能の感光体１１の周囲に帯電器（図示省略）、画像露光装置（図示省略）、現像器（図示省略）、１次転写ローラ２及びクリーニング装置（図示省略）を配置したものであり、それ自体既に知られているものである。
【００３３】
各画像形成部においては、図１中時計方向回りに回転駆動される感光体１１の表面を帯電器で所定電位に帯電させ、その帯電域に、入力されてくる画像データに基づいて画像露光装置から画像露光を施して静電潜像を形成し、この潜像を担当色トナーを収容した現像器の現像ローラで現像バイアスのもとに現像して可視トナー像とし、このトナー像を１次転写電圧が印加さた１次転写ローラ２でベルト４上に１次転写することができる。感光体１１上の転写残トナー等はクリーニング装置により除去清掃される。
【００３４】
このトナー像の１次転写にあたって、転写ベルト４は図１中、反時計方向（矢印α方向）に回転駆動される。ベルト４上に重ねて１次転写された多重トナー像はいずれかのカセットから供給される記録媒体（記録紙等）９に２次転写電圧が印加された２次転写ローラ５で２次転写できる。
【００３５】
記録媒体９に２次転写されたトナー像は、定着装置７で加熱加圧下に記録媒体９上に定着され、この記録媒体９は排出ローラ８にて排出トレイＴに排出される。ベルト４上の転写残トナー等はクリーニング装置４０にて除去清掃される。
【００３６】
以上、Ｙ〜Ｋの四つの画像形成部を用いて記録媒体９にフルカラートナー像をプリンとする例を説明したが、プリンタ部ＰＲは、いずれかの画像形成部を用いてモノクロ画像を形成することもできるし、いずれか二つ又は三つの画像形成部を用いてカラー画像形成することもできる。
【００３７】
次にスキャナ部Ｓについて説明すると、スキャナ部Ｓにおける原稿搬送装置ＡＤＦは開閉可能で、スキャナ部Ｓ本体の原稿載置台であるガラス板ｇ１上に配置される原稿を覆うカバーを兼ねている。
【００３８】
スキャナ部Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中でスキャナ部Ｓの原稿流し撮り用ガラス板ｇ２に沿って移動する原稿の画像を光学的に読み取ることもできる。
【００３９】
スキャナ部Ｓで読み取られた画像のデータは、
(1) プリンタ部ＰＲへ送られ、そこでの画像形成に供されるか、
(2) コントローラ部に内蔵されている記録媒体の所定記録領域（メモリボックス部）Ｍに格納されるか、
(3) フアクシミリ送信或いはＥ−ｍａｉｌ送信に供されるなどする。
【００４０】
いずれにしてもプリンタ部ＰＲやスキャナ部Ｓは、操作パネル部ＰＡからのキー入力等及びコントローラ部ＣＮの指示に基づいて、或いは操作パネル部ＰＡからの入力に基づかない（例えば外部コンピュータからの画像データ入力に起因する）コントローラ部ＣＮの指示に基づいて動作する。
【００４１】
認証装置ＩＤは、本例ではユーザー専用のＩＣカードを用いて認証を行い、ログインを許可するものである。なお、認証装置は生体認証方式等の他の認証方式により認証するものであってもよい。
【００４２】
通信インターフエース部Ｉ／Ｆは外部コンピータと接続するためのネットワーク接続部、ＵＳＢ接続部、ＦＡＸ用電話回線接続部等を含んでいる。
【００４３】
次に操作パネル部ＰＡについて説明する。
操作パネル部ＰＡには、図３に示すように、
(1) プリンタ部ＰＲによるプリント動作の開始等の各種動作開始を指示するスタートキーＳＫ、
(2) プリント枚数等を設定したり、後述するようにパスワードを入力するためのテンキー１０Ｋ及び
(3) 本例では液晶表示によるパネル表示部であるディスプレイ部Ｄ等が設けられている。    
【００４４】
パネル表示部であるディスプレイ部Ｄは、ユーザによるキー操作を反映表示したり、ユーザへの指示メニューを表示したり、プリンタ部ＰＲ等からの情報を表示したりする等に用いられる。
なお、ディスプレイ部は液晶表示方式のものに限定されることはなくプラズマ表示方式等の他のタイプの視認可能のディスプレイ部でもよい。
【００４５】
画像形成装置Ａは、その使用を待ち受ける待機状態から装置Ａが使用されることなく予め定めた時間が経過すると、コントローラ部ＣＮの指示のもとに予め定めた部分への電力供給を停止するスリープ状態（本例では、定着装置７のヒータ、現像器駆動モータ、記録媒体搬送ローラ駆動モータ等への電力供給停止の状態）になるが、このスリープ状態では、操作パネル部ＰＡにおいても、ディスプレイ部は節電消灯される。
【００４６】
操作パネル部ＰＡは、前記のスタートキーＳＫ、テンキー１０Ｋ、ディスプレイ部Ｄのほかの重要なキーとして、この画像形成装置Ａが実行できるモードに対応して次の五つのキーを備えている。
(a) スキャナ部Ｓで読み取った原稿画像のデータをメモリボックス部Ｍに格納することができるスキャンｔｏボックスモードを選択するボックスキーＫ１、
(b) スキャナ部Ｓで読み取った原稿画像のデータを通信インターフエース部Ｉ／Ｆを介してＥ−ｍａｉｌ送信するすることができるスキャンｔｏＥ−ｍａｉｌモードを選択するためのスキャンキーＫ２、
(c) 通信インターフエース部Ｉ／Ｆを介してコントローラ部ＣＮに入力されてくる親展画像データに基づいて、操作パネル部ＰＡからのパスワード入力を条件として、プリンタ部ＰＲに親展プリントさせることができる親展プリントモードを選択するためのプリントキーＫ３、
(d) スキャナ部Ｓで読み取った、地紋セキュリティが設定された原稿画像のデータに基づいて、操作パネル部ＰＡからのパスワード入力を条件として、プリンタ部ＰＲに画像プリントさせることができるセキュリティコピーモードを選択するためのコピーキーＫ４及び(e) 通信インターフエース部Ｉ／Ｆを介してコントローラ部ＣＮに入力されてくる親展ファクシミリ受信データに基づいて、操作パネル部ＰＡからのパスワード入力を条件として、プリンタ部ＰＲに画像プリントさせることができる親展ファクシミリプリントモードを選択するためのＦＡＸキーＫ５である。
【００４７】
ここで、(a) 項の「メモリボックス部」とは、スキャナ部Ｓで読み取った原稿画像のデータを格納（記憶）させておく、コントローラ部ＣＮにおけるメモリ（記録媒体）中の領域Ｍのことである。
【００４８】
また、上記(d) 項の「地紋セキュリティが設定されている原稿」とは、その原稿画像における背景の地紋中に埋め込まれた、人間の目では判別できないが、スキャナ部による読み取りは可能であるセキュリティのための情報を有する原稿」のことであり、その情報に対応したパスワードをもって複写が可能になる原稿である。
【００４９】
これらモード選択キーの何れかによりモード選択がなされたときの画像形成装置の動作について、そのときのコントローラ部ＣＮの動作に基づいて、モード毎に説明する。
【００５０】
（Ａ）スキャンｔｏボックスモード
図４は、画像形成装置Ａがスリープ状態にあり、操作パネル部ＰＡのディスプレイ部Ｄが節電消灯しているときに、ボックスキーＫ１によりスキャンｔｏボックスモードが選択されたときのコントローラ部ＣＮの動作を示すフローチャートである。
【００５１】
図４に示すように、画像形成装置Ａがスリープ状態にあり、操作パネル部ＰＡのディスプレイ部Ｄが節電消灯しているときに（ステップＳ１０１）、モード選択キーＫ１によりスキャンｔｏボックスモードが選択されると（ステップＳ１０２）、ディスプレイ部Ｄを消灯させたままでスリープ状態を解除し、認証装置ＩＤにおいてユーザー認証によりログインされ（Ｓ１０３）、スキャナ部Ｓにおいて原稿セットがあるとボックスモード（画像データをメモリボックス部へ格納するモード）中のスキャンｔｏボックスモードと認識し（Ｓ１０４）、操作パネル部ＰＡのテンキー１０Ｋをパスワード入力キーとして使えるように切り替え設定する（Ｓ１０５）。
【００５２】
その後、テンキー１０Ｋによるパスワード入力があると、その後の操作パネル部ＰＡのスタートキーＳＫ操作により（Ｓ１０６、Ｓ１０７）、前記原稿の画像をスキャナ部Ｓに読み取らせ（Ｓ１０８）、該原稿画像データをそれにパスワードを設定（登録）して（Ｓ１０９）前記ユーザー認証に基づいて指定されたデフォルトのメモリボックス部Ｍへ格納する（Ｓ１１０）。
【００５３】
コントローラ部ＣＮは、操作パネル部ＰＡのテンキー１０Ｋをパスワード入力キーとして使えるように切り替え設定したあと、該テンキーによるパスワード入力無しで操作パネル部のスタートキーＳＫ操作があると（Ｓ１０６、Ｓ１１１）、前記原稿の画像をスキャナ部Ｓに読み取らせ（Ｓ１１２）、該原稿画像データをパスワード設定無しで前記ユーザー認証に基づいて指定されたデフォンルトのメモリボックス部Ｍへ格納する（Ｓ１１０）。
このように格納された原稿画像データは後で読みだしてプリンタ部ＰＲにプリントさせる等できる。
【００５４】
なお、図４には示していないが、スキャナ部Ｓで読み取った画像のデータは、前記認証に基づいて指定されたデフォンルトのメモリボックス部ではなく、既に作成してあるメモリボックス部のナンバーをテンキーで指定し、その指定したメモリボックス部に格納することも可能である。例えば、テンキー１０Ｋ中の♯キー＋数字キーの操作によりボックスを指定できるようにしておけばよい。例えば♯キー＋数字キー２の操作により２番目のボックスを選択できるようにしておけばよい。
【００５５】
（Ｂ）スキャンｔｏＥ−ｍａｉｌモード
図５は、画像形成装置Ａがスリープ状態にあり、操作パネル部ＰＡのディスプレイ部Ｄが節電消灯しているときに、スキャンキーＫ２によりスキャンｔｏＥ−ｍａｉｌモードが選択されたときのコントローラ部ＣＮの動作を示すフローチャートである。
【００５６】
図５に示すように、画像形成装置Ａがスリープ状態にあり、操作パネル部ＰＡのディスプレイ部Ｄが節電消灯しているときに（ステップＳ２０１）、モード選択キーＫ２によりスキャンｔｏＥ−ｍａｉｌモードが選択されると（ステップＳ２０２）、ディスプレイ部Ｄを消灯させたままでスリープ状態を解除し、認証装置ＩＤにおいてユーザー認証によりログインされると（Ｓ２０３）、操作パネル部ＰＡのテンキー１０Ｋをパスワード入力キーとして使えるように切り替え設定する（Ｓ２０４）。
【００５７】
その後、テンキー１０Ｋによるパスワード入力があると、その後の操作パネル部ＰＡのスタートキーＳＫ操作により（Ｓ２０５、Ｓ２０６）、原稿画像をスキャナ部Ｓに読み取らせ（Ｓ２０７）、該原稿画像データをそれにパスワードを設定（登録）し（Ｓ２０８）、宛先のメールアドレス入力が別途ない場合は前記ユーザー認証ごとに設定されたデフオルトのＥ−ｍａｉｌアドレスへ通信インターフエース部Ｉ／Ｆを介して画像データを送信する（Ｓ２０９）。
【００５８】
コントローラ部ＣＮは、操作パネル部ＰＡのテンキー１０Ｋをパスワード入力キーとして使えるように切り替え設定したあと、該テンキーによるパスワード入力無しで操作パネル部のスタートキーＳＫ操作があると（Ｓ２０５、Ｓ２１０）、前記原稿の画像をスキャナ部Ｓに読み取らせ（Ｓ２１１）、宛先のメールアドレス入力が別途ない場合は前記ユーザー認証ごとに設定されたデフオルトのＥ−ｍａｉｌアドレスへ通信インターフエース部Ｉ／Ｆを介して画像データを送信する（Ｓ２０９）。
【００５９】
なお、図５には示していないが、スキャナ部Ｓで読み取った画像のデータは、前記認証に基づいて指定されたデフォンルト設定のメールアドレスではなく、別途、例えばテンキーで指定可能のメールアドレスへも送信できるようにしてある。
【００６０】
（Ｃ）親展プリントモード
図６は、画像形成装置Ａがスリープ状態にあり、操作パネル部ＰＡのディスプレイ部Ｄが節電消灯しているときに、プリントキーＫ３により親展プリントモードが選択されたときのコントローラ部ＣＮの動作を示すフローチャートである。
【００６１】
図６に示すように、画像形成装置Ａがスリープ状態にあり、操作パネル部ＰＡのディスプレイ部Ｄが節電消灯しているときに（ステップＳ３０１）、通信インターフエース部Ｉ／Ｆを介して外部のコンピュータ（ＰＣ）等から親展画像データ入力がある状態で（Ｓ３０２）、プリントキーＫ３にて親展プリントモードが選択されると、ディスプレイ部Ｄを消灯したままでスリープ状態を解除し、認証装置ＩＤにおけるユーザー認証によりログインがあると（Ｓ３０４）、操作パネル部ＰＡのテンキー１０Ｋをパスワード入力キーとして使えるように切り替え設定する（Ｓ３０５）。
【００６２】
そして、テンキーによるパスワード入力があり、さらに操作パネル部のスタートキー操作があり、パスワード一致が確認されると（Ｓ３０６、Ｓ３０７、Ｓ３０８）、親展画像データをプリンタ部ＰＲにプリントさせる。パスワード一致が確認できないときはプリントを許可しない。
テンキーをパスワード入力キーとして使えるように切り替え設定したあと、該テンキーによるパスワード入力なしで操作パネル部のスタートキー操作があっても親展画像データのプリントを許可しない（Ｓ３０６、Ｓ３１０、Ｓ３１１）。
【００６３】
（Ｄ）セキュリティコピーモード
図７は、画像形成装置Ａがスリープ状態にあり、操作パネル部ＰＡのディスプレイ部Ｄが節電消灯しているときに、コピーキーＫ４によりセキュリティコピーモードが選択されたときのコントローラ部ＣＮの動作を示すフローチャートである。
【００６４】
図７に示すように、画像形成装置Ａがスリープ状態にあり、操作パネル部ＰＡのディスプレイ部Ｄが節電消灯しているときに（ステップＳ４０１）、コピーキーＫ４にてコピーモードが選択されると（Ｓ４０２）、ディスプレイ部Ｄを消灯したままでスリープ状態を解除し、認証装置ＩＤにおけるユーザー認証によりログインがあり（Ｓ４０３）、スキャナ部Ｓに原稿がセットされ（Ｓ４０４）、操作パネル部ＰＡのスタートキーＳＫが操作されると、スキャナ部Ｓに該原稿画像を読み取らせる（Ｓ４０５）。
【００６５】
このとき、地紋セキュリティが設定されていない原稿画像については、プリンタ部ＰＲに該読み取られた原稿の画像データに基づいてスタートキーの再操作無しでそのままデフオルト設定のもとにプリントさせる（Ｓ４０６、Ｓ４１１）。スタートキーを押す前にテンキーを使用した場合はテンキーは置数キーとして機能する。
【００６６】
地紋セキュリティが設定されている原稿画像については、スキャナ部Ｓが該地紋セキュリティを検出すると、操作パネル部ＰＡのテンキー１０Ｋをパスワード入力キーとして使えるように切り替え設定する（Ｓ４０６、Ｓ４０７）。
その後、該テンキーによるパスワード入力があり、操作パネル部のスタートキーＳＫの再操作があると、パスワードの一致を条件として、前記原稿画像データをプリンタ部ＰＲにプリントさせる（Ｓ４０８〜Ｓ４１１）。
パスワードが一致しないときはプリントを許可しない。
【００６７】
地紋セキュリティのある原稿画像については、操作パネル部ＰＡのテンキー１０Ｋをパスワード入力キーとして使えるように切り替え設定したあと、該テンキーによるパスワード入力なしで操作パネル部のスタートキーＳＫの操作があっても、該原稿画像データのプリンタ部ＰＲによるプリントは許可しない。
【００６８】
（Ｅ）親展ファクシミリプリントモード
図８は、画像形成装置Ａがスリープ状態にあり、操作パネル部ＰＡのディスプレイ部Ｄが節電消灯しているときに、ＦＡＸキーＫ５により親展ファクシミリプリントモードが選択されたときのコントローラ部ＣＮの動作を示すフローチャートである。
【００６９】
図８に示すように、画像形成装置Ａがスリープ状態にあり、操作パネル部ＰＡのディスプレイ部Ｄが節電消灯しているときに（ステップＳ５０１）、通信インターフエース部Ｉ／Ｆを介して外部から親展ファクシミリデータが受信されている状態で（Ｓ５０２）、ＦＡＸキーＫ５にて親展ファクシミリプリントモードが選択されると（Ｓ５０３）、ディスプレイ部Ｄを消灯したままでスリープ状態を解除し、認証装置ＩＤにおけるユーザー認証によりログインがあり（Ｓ５０４）、ここでスキャナ部Ｓへの原稿セットが無く、ディスプレイ部Ｄのタッチパネル操作も無いと（Ｓ５０５、Ｓ５０６’）、操作パネル部ＰＡのテンキー１０Ｋをパスワード入力キーとして使えるように切り替え設定する（Ｓ５１５）。
【００７０】
そして、テンキー１０Ｋによるパスワード（親展パスワード）入力があり、さらに操作パネル部のスタートキー操作があり、パスワード一致が確認されると（Ｓ５１６、Ｓ５１７、Ｓ５１８）、親展ファクシミリデータをプリンタ部ＰＲにプリントさせる（Ｓ５１９）。パスワード一致が確認できないときはプリントを許可しない。
【００７１】
テンキーをパスワード入力キーとして使えるように切り替え設定したあと（Ｓ５１５）、該テンキーによるパスワード入力なしで操作パネル部のスタートキー操作があっても親展ファクシミリデータのプリントを許可しない。                                        
【００７２】
コントローラ部ＣＮは、ステップＳ５０６’においてディスプレイ部Ｄのタッチパネルの操作があると、ディスプレイ部Ｄを点灯表示させ、以後はパネル操作に従って必要な制御を行う（Ｓ５０６’、Ｓ５１３、Ｓ５１４）。
【００７３】
また、ステップＳ５０６においてスキャナ部Ｓに原稿セットがあると、ディスプレイ部Ｄを点灯表示させ（Ｓ５０７）、テンキーを電話番号入力キーに切り替え設定し（Ｓ５０８）、その後、該テンキーによる電話番号入力及び操作パネル部ＰＡのスタートキーＳＫの操作があると（Ｓ５０９）、入力された宛て先にスキャナ部Ｓで読み取った画像データを通信インターフエース部Ｉ／Ｆを介してファクシミリ送信する（Ｓ５１０）。
【００７４】
以上説明したように画像形成装置Ａによると、画像形成装置Ａがスリープ状態にあって操作パネル部ＰＡのディスプレイ部Ｄが節電消灯しているときに、モード選択キーＫ１〜Ｋ５によりモード選択可能の予め定めたモードについては、該モード選択キーで選択して、ディスプレイ部Ｄを消灯させたままこれを実行させることができるので、それだけ、ディスプレイ部Ｄにおける電力消費を節約でき、ひいては画像形成装置Ａ全体としてもそれだけ節電できる。
【００７５】
以上説明した画像形成装置Ａにおけるプリンタ部ＰＲは、電子写真方式のタンデム型のカラープリンタ部であったが、プリンタ部は、定位置の感光体上の静電潜像を現像する現像位置へそれぞれが担当色トナーを保持した複数の現像器が順次位置することができる４サイクル型等のサイクル型カラープリンタ部であっても、また、モノクロ画像形成専用のプリンタ部であってもよい。
さらにプリンタ部は静電記録方式等の他の方式のプリンタ部であってもよい。
【産業上の利用可能性】
【００７６】
本発明は、操作パネル部での電力消費を少なく抑制でき、それだけ全体としても消費電力を節約できる画像形成装置を提供することに利用できる。
【符号の説明】
【００７７】
Ａ  画像形成装置
Ｓ  スキャナ部
ＡＤＦ  原稿自動搬送装置
ＰＡ  操作パネル部                                                              ＳＫ  スタートキー
１０Ｋ  テンキー
Ｋ１  ボックスキー
Ｋ２  スキャンキー
Ｋ３  プリントキー
Ｋ４  コピーキー
Ｋ５  ＦＡＸキー
Ｄ  液晶ディスプレイ部
ＰＲ  プリンタ部
Ｙ  イエロー画像形成部
Ｍ  マゼンタ画像形成部
Ｃ  シアン画像形成部
Ｋ  ブラック画像形成部
１１  感光体
２  １次転写ローラ
４  中間転写ベルト
４０  クリーニング装置
５  ２次転写ローラ
７  定着装置
９  記録媒体（記録紙等）
Ｔ  排出トレイ
ＣＮ  コントローラ部
Ｍ  メモリボックス部
ＩＤ  認証装置
Ｉ／Ｆ  通信インターフエース部
【図１】
0005476915.tif 000002
【図２】
0005476915.tif 000003
【図３】
0005476915.tif 000004
【図４】
0005476915.tif 000005
【図５】
0005476915.tif 000006
【図６】
0005476915.tif 000007
【図７】
0005476915.tif 000008
【図８】
0005476915.tif 000009